(57)【特許請求の範囲】
【請求項１】
開口を有する吸込口本体と、前記開口に臨ませて前記吸込口本体内に回転自在且つ前記開口の長手方向に対して並列に設置されたブレードを有する回転清掃体Ａ及びブラシを有する回転清掃体Ｂと、前記回転清掃体Ａ及び回転清掃体Ｂの両端部に各々設置された軸受部材とを備え、前記吸込口本体は、前記開口近傍に、前記回転清掃体Ａ及び回転清掃体Ｂの軸心に略直角な方向であって、前記吸込口本体の開口前方側と開口後方側を架橋するリブ体Ａと、ホースを介して掃除機本体側と連通可能な延長管とを有するものであって、前記リブ体Ａの一部は、前記回転清掃体Ａの先端部が前記回転清掃体Ｂに対して離れるとともに、被清掃面に近づく範囲に、前記先端部の回転軌跡とほぼ同じ曲面を有し、前記曲面の鉛直上方に前記開口から連通する前記延長管が接続されていることを特徴とする掃除機用吸込口。
【請求項２】
回転清掃体Ａ及び回転清掃体Ｂの軸心に略平行に形成されたリブ体Ｂを有するものであって、該リブ体Ｂは、前記回転清掃体Ａと前記回転清掃体Ｂの間に架橋されていることを特徴とする請求項１に記載の掃除機用吸込口。
【請求項３】
リブ体Ａは、リブ体Ｂよりも被清掃面側に位置していることを特徴とする請求項２に記載の掃除機用吸込口。
【請求項４】
ブレードは、短手方向の先端部に形成された叩打部の範囲内に凹部が形成されていることを特徴とする請求項１〜３のいずれか１項に記載の掃除機用吸込口。
【請求項５】
吸込口本体は、所定の間隔を開けて設置された回転可能な２個の車輪と、回転清掃体Ａ又は回転清掃体Ｂを回転駆動させるためのモータを備えており、前記２個の車輪それぞれの軸心の延長がモータの一部を貫通する位置に、前記モータが設置されていることを特徴とする請求項１〜４のいずれか１項に記載の掃除機用吸込口。
【請求項６】
吸引力を発生させる電動送風機と、塵埃を捕集する集塵室と、請求項１〜５のいずれか１項に記載の掃除機用吸込口とを備えていることを特徴とする電気掃除機。
【発明の詳細な説明】
【技術分野】
【０００１】
本発明は、被清掃面に付着した塵埃等を吸引する為の掃除機用吸込口及び電気掃除機に関するものである。
【背景技術】
【０００２】
従来から、様々な形状の掃除機用吸込口が開発されており、特に、布団や毛布を清掃する為に、布団や毛布が吸込口の開口から巻き込まれるのを防止する手段を備えた掃除機用吸込口が知られている（例えば、特許文献１参照）。
【０００３】
上記特許文献１に記載された掃除機用吸込口は、回転清掃体が設置された下ケースの底面に前後方向に延び且つ断面下向き凸字形状の枠によって区画された複数の吸込開口が形成されて、布団や毛布が巻き込まれるのを防止している。
【先行技術文献】
【特許文献】
【０００４】
【特許文献１】特許第３７３０５４３号公報
【発明の概要】
【発明が解決しようとする課題】
【０００５】
しかしながら、上記特許文献１に記載された掃除機用吸込口は、回転清掃体が１つ設置されているのみであることから、布団や毛布を叩く効果を有する回転ブレードか、布団や毛布に付着した塵埃を除去する効果を有する回転ブラシのいずれか一方を選択しなければならず、両方の機能を同時に備える構成となっていなかった。
【０００６】
本発明は、前記従来の課題を解決するもので、主に、布団や毛布を清掃する場合に、該布団や毛布が掃除機用吸込口の開口から巻き込まれるのを防止すると共に、布団や毛布を叩く効果と、布団や毛布に付着した塵埃等を除去する効果を同時に奏することができる掃除機用吸込口及び電気掃除機を提供することを目的とする。
【課題を解決するための手段】
【０００７】
前記従来の課題を解決するために、請求項１の発明は、掃除機用吸込口の発明であって、開口を有する吸込口本体と、前記開口に臨ませて前記吸込口本体内に回転自在且つ前記開口の長手方向に対して並列に設置されたブレードを有する回転清掃体Ａ及びブラシを有する回転清掃体Ｂと、前記回転清掃体Ａ及び回転清掃体Ｂの両端部に各々設置された軸受部材とを備え、前記吸込口本体は、前記開口近傍に、前記回転清掃体Ａ及び回転清掃体Ｂの軸心に略直角な方向であって、前記吸込口本体の開口前方側と開口後方側を架橋するリブ体Ａと、ホースを介して掃除機本体側と連通可能な延長管とを有するものであって、前記リブ体Ａの一部は、前記回転清掃体Ａの先端部が前記回転清掃体Ｂに対して離れるとともに、被清掃面に近づく範囲に、前記先端部の回転軌跡とほぼ同じ曲面を有し、前記曲面の鉛直上方に前記開口から連通する前記延長管が接続されていることを特徴としている。
【０００８】
したがって、回転清掃体Ａと、回転清掃体Ｂの２本の回転清掃体を備えていることから、被清掃面に付着した塵埃を除去する効果と、被清掃面を叩く効果の両方を同時に奏することができる。また、リブ体Ａを有することによって、被清掃面が布団や毛布であった場合に、該布団や毛布が開口から巻き込まれるのを防止することができる。さらに、リブ体Ａの一部が回転清掃体Ａの先端部の回転軌跡とほぼ同じ曲面を有しているため、特に布団のシーツや毛布を清掃する際には、掃除機の吸引によってシーツや毛布がリブ体Ａの曲面に沿って張り付いた際に、回転清掃体Ａの先端部はリブ体Ａの曲面に沿ったシーツや毛布を連続的に叩き出すことで除塵効率を向上させることができる。また、回転清掃体Ａの先端部はリブ体Ａの曲面に沿って移動するため、回転清掃体Ａの先端部がリブ体Ａの一部分で極端に突出することがなくなる。そのため、シーツや毛布を回転清掃体の先端部で引っ掛けて巻き込むことや、過剰な叩き出しによってシーツ表面を傷つけてしまうことを防止できる。
【０００９】
請求項２の発明は、請求項１の発明において、回転清掃体Ａ及び回転清掃体Ｂの軸心に略平行に形成されたリブ体Ｂを有するものであって、該リブ体Ｂは、前記回転清掃体Ａと前記回転清掃体Ｂの間に架橋されていることを特徴としている。したがって、回転清掃体Ａと、回転清掃体Ｂの２本の回転清掃体を備えていることから、被清掃面に付着した塵埃を除去する効果と、被清掃面を叩く効果の両方を同時に奏することができる。また、リブ体Ａ及びリブ体Ｂを有することによって、被清掃面が布団や毛布であった場合に、該布団や毛布が開口から巻き込まれるのを防止することができると共に、相互に補強し合うため、各リブ体の被清掃面から受ける応力を緩和できる。
【００１０】
請求項３の発明は、請求項２の掃除機用吸込口において、リブ体Ａは、リブ体Ｂよりも被清掃面側に位置していることを特徴としている。したがって、回転清掃体の軸心に略平行に形成されたリブ体Ｂの被清掃面への接触が減るため、掃除機用吸込口の前後方向への直進性を向上させることができる。
【００１１】
請求項４の発明は、請求項１〜３のいずれかの発明において、ブレードは、短手方向の先端部に形成された叩打部の範囲内に凹部が形成されていることを特徴としている。したがって、ブレードによって、被清掃面が布団や毛布であった場合に、該布団や毛布を叩く効果を奏することができる。また、ブレードの先端部に形成された叩打部の範囲内に凹部が形成されていることによって、リブ体Ａへの接触を回避することができる。そのため、ブレードを有する回転清掃体を被清掃面側に近づけて配置できるので、ブレードがより深く被清掃面に当接できるようになり、被清掃面を叩く効果を向上させることができる。また、ブレードの先端部に形成された叩打部の範囲内に凹部が形成されているため、凹部がブレードの根本近傍まで形成された場合よりもブレードの剛性が増し、より強力に被清掃面を叩くことができる
【００１２】
請求項５の発明は、請求項１〜４のいずれかの発明において、吸込口本体は、所定の間隔を開けて設置された回転可能な２個の車輪と、回転清掃体Ａ又は回転清掃体Ｂを回転駆動させるためのモータを備えており、前記２個の車輪それぞれの軸心の延長がモータの一部を貫通する位置に、前記モータが設置されていることを特徴としている。したがって、モータの動力を回転清掃体Ａ又は回転清掃体Ｂに伝達することができると共に、吸込口本体を大型化させることなく、コンパクトな形状とすることができる。さらに、モータを２個の車輪の中間部に設置することによって、吸込口本体の重心を安定させることができる。
【００１３】
請求項６の発明は、電気掃除機の発明であって、吸引力を発生させる電動送風機と、塵埃を捕集する集塵室と、請求項１〜５のいずれかの掃除機用吸込口とを備えていることを特徴としている。したがって、被清掃面に付着した塵埃を除去する効果と、被清掃面を叩く効果の両方を同時に奏することができると共に、布団や毛布が掃除機用吸込口の開口から巻き込まれるのを防止する機能を備えた電気掃除機を提供することができる。
【発明の効果】
【００１４】
請求項１及び２の発明は、被清掃面に付着した塵埃を除去する効果と、被清掃面を叩く効果の両方を同時に奏することができる。また、被清掃面が布団や毛布であった場合に、該布団や毛布が開口から巻き込まれるのを防止することができる。
【００１５】
請求項３の発明は、掃除機用吸込口の直進性を向上させることができる。
【００１６】
請求項４の発明は、該布団や毛布を叩く効果を奏することができると共に、ブレードのリブ体への接触を回避することができる。
【００１７】
請求項５の発明は、モータの動力を回転清掃体に確実に伝達することができると共に、吸込口本体を大型化させることなく、コンパクトな形状とすることができる。また、モータを２個の車輪の中間部に設置することによって、吸込口本体の重心を安定させることができる。
【００１８】
請求項６の発明は、被清掃面に付着した塵埃を除去する効果と、被清掃面を叩く効果の両方を同時に奏することができると共に、布団や毛布が掃除機用吸込口の開口から巻き込まれるのを防止する機能を備えた電気掃除機を提供することができる。
【図面の簡単な説明】
【００１９】
【図１】本発明に係る掃除機用吸込口を示す斜視図
【図２】（ａ）本発明に係る掃除機用吸込口を示す平面図（ｂ）同右側面図
【図３】本発明に係る掃除機用吸込口を示す底面図
【図４】本発明に係る掃除機用吸込口の内部構造を示す断面図
【図５】本発明に係る掃除機用吸込口の上ケースを外した状態を示す斜視図
【図６】（ａ）本発明に係る掃除機用吸込口の内部構造を示す一部切断背面図（ｂ）同一部切断斜視図
【図７】（ａ）本発明に係る掃除機用吸込口を構成する清掃体の他例を示す分解斜視図（ｂ）図７（ａ）に示したブレード及びブラシを組み付けた状態を示す斜視図（ｃ）本発明に係る掃除機用吸込口を構成する清掃体の別の他例を示す斜視図（ｄ）図７（ｃ）に示した清掃体を回転ロータに挿入した状態を示す断面図
【図８】電気掃除機本体を示す斜視図
【発明を実施するための形態】
【００２０】
以下、本発明の実施の形態について、図面を参照しながら説明する。なお、この実施の形態によって本発明が限定されるものではない。
【００２１】
図１は、本発明に係る掃除機用吸込口を示す斜視図であり、図２（ａ）は、平面図、図２（ｂ）は、右側面図、図３は、底面図である。これらの図を用いて本発明に係る掃除機用吸込口の概要を説明する。
【００２２】
掃除機用吸込口１０は、吸込口本体の上ケース１と吸込口本体の下ケース２との間に回転ブレード１４（特許請求の範囲の記載では、回転清掃体Ａに対応する。）と回転ブラシ１５（特許請求の範囲の記載では、回転清掃体Ｂに対応する。）が設置されている。そして、吸込口本体の下ケース２には、開口１３が形成されている。また、開口１３の後方の吸込口本体の上ケース１と吸込口本体の下ケース２との間には、回転軸９が設置されており、この回転軸９の両端部には車輪３ａ、３ｂが取り付けられている。また、下ケース２の開口１３の外側には、回転ローラ８ａ、８ｂが設置されている。
【００２３】
そして、回転ブレード１４及び回転ブラシ１５の軸心に対して略直交する方向に、リブ体Ａ１１ａ、１１ｂ、１１ｃが架橋されている。さらに、回転ブレード１４及び回転ブラシ１５の軸心に対して略平行な方向であって、回転ブレード１４と回転ブラシ１５の間にリブ体Ｂ１２が架橋されている。
【００２４】
また、上ケース１には、開口１３と連通する延長管４が接続されており、この延長管４は、接続管５を介してホース６と連結している。そして、延長管４と一体化するようにして、操作ハンドル７が形成されている。
【００２５】
前述のように構成された掃除機用吸込口１０は、主に、布団や毛布、ブランケット等に付着している塵埃やダニ等の除去の為に、使用者が座った状態やかがんだ状態で使用するものであり、操作ハンドル７が通常の電気掃除機よりも低い位置に形成されている。また、開口１３の後方に大型の２個の車輪３ａ、３ｂを設置したことによって、掃除機用吸込口１０を、布団や毛布等の被清掃面上でスムーズに移動させることができるようにしている。
【００２６】
図４は、本発明に係る掃除機用吸込口の内部構造を示す断面図である。図４を用いて本発明に係る掃除機用吸込口の詳細について説明する。図４に示すように、回転ブレード１４は、清掃体であるブレード１４Ａと回転ロータ１４ｄとから構成されており、ブレード１４Ａは、短手方向の一方の端部に形成された叩打部１４ａと、短手方向の他方の端部に形成された基部１４ｂと、叩打部１４ａと基部１４ｂとの間に位置する中間部１４ｃとを備えている。そして、回転ロータ１４ｄに形成されている溝にブレード１４Ａの基部１４ｂが挿入され、固定されている。また、回転ロータ１４ｄは、後述するように、下ケース２に取り付けられた軸受部材によって、回転自在に軸支されている。
【００２７】
また、回転ブラシ１５は、清掃体であるブラシ１５Ａと回転ロータ１５ｃとから構成されており、ブラシ１５Ａは、ブラシ部１５ａと、基台２９ａとを備えている。そして、回転ロータ１５ｃに形成されている溝にブラシ１５Ａの基台２９ａが挿入され、固定されている。また、回転ロータ１５ｃは、後述するように、下ケース２に取り付けられた軸受部材によって、回転自在に軸支されている。
【００２８】
そして、回転ブレード１４及び回転ブラシ１５は、開口１３に臨ませて掃除機用吸込口１０内に回転自在且つ並列に設置されている。また、回転ブレード１４及び回転ブラシ１５の軸心に対して略直交する方向に架橋されているリブ体Ａ１１ｂは、凹部１６を備えており、リブ体Ａ１１ｂの一部が、回転ブレード１４の先端部が回転ブラシ１５に対して離れるとともに、回転ブレード１４の先端部が被清掃面に近づく範囲Ｌに、回転ブレード１４の先端部の回転軌跡とほぼ同じ曲面を有している。ここで範囲Ｌとは、回転ブレード１４の回転中心Ｘと回転ブラシ１５の回転中心Ｙを結んだ線上に、ブレード１４Ａの先端部の回転軌跡が交わる位置から始まり、ブレード１４Ａの先端部が被清掃面に最も近づいた位置までの範囲を示している。また、リブ体Ａ１１ａやリブ体Ａ１１ｃといった全てのリブ体Ａがリブ体Ａ１１ｂと同様の曲面を有している。
【００２９】
そして、布団や毛布を清掃する場合にはシーツ等の布地がリブ体Ａ１１ｂの曲面に沿って張り付くため、回転ブレード１４の先端部は曲面状に張り付いたシーツ等に順次当接することができる。このようにリブ体Ａ１１ｂの曲面の部分では、シーツ等を曲面に沿って連続的に叩き出すとともに、ブレード１４Ａの先端部がリブ体Ａ１１ｂの一部分で極端に突出することを防止できるのでシーツ等の巻き込みやシーツ表面の傷付きも防止できる。一方、ブレード１４Ａの先端部が被清掃面から離れていく範囲では、リブ体Ａ１１ｂは曲面を有しておらず掃除機用吸込口１０の底面に沿って直線状に形成されている。そのため、ブレード１４Ａの先端部が被清掃面から離れていく際に、先端部がリブ体Ａから突出することがないのでシーツ等を巻き込むことを防止できる。
【００３０】
また、回転ブレード１４及び回転ブラシ１５の軸心に対して略平行な方向に架橋されているリブ体Ｂ１２は、回転ブレード１４と回転ブラシ１５の間に架橋されている。これにより、最も吸引力の強い開口中心部でのシーツ等の過度な吸付きを防止できると共に、リブ体Ａ及びリブ体Ｂが相互に補強し合うことで、各リブ体の被清掃面から受ける応力を緩和できる。さらに、図４に示すように、リブ体Ａ１１ｂは、リブ体Ｂ１２よりも被清掃面側に位置している。よって、リブ体Ｂ１２の被清掃面への接触が減るため掃除機用吸込口１０の前後方向における摩擦抵抗が減って直進性を向上させている。
【００３１】
図５は、本発明に係る掃除機用吸込口の上ケースを外した状態を示す斜視図である。図５を用いて回転ブレード１４及び回転ブラシ１５の駆動機構について説明する。図５に示すように、吸込口本体に設置された車輪３ａと車輪３ｂとの間にモータ２６が設置されている。詳述すると、モータ２６は、車輪３ａ、３ｂのそれぞれの軸心９の延長がモータの一部を貫通する位置に設置されている。したがって、掃除機用吸込口１０を大型化させることなく、コンパクトな形状とすることができると共に、掃除機用吸込口１０の重心を車輪間に設定することができるので、掃除機用吸込口１０を被清掃面に押し付けながら安定して操作できる。
【００３２】
モータ２６は、回転ブレード１４及び回転ブラシ１５を以下の機構によって回転駆動させている。即ち、モータ２６の出力軸２６ａを回転させると、回転ベルト２５を介してギア２７が回転する。そして、ギア２７が固定されている回転軸２４に固定されているギア２３が回転すると、回転ベルト１９を介してギア１８ａが回転する。ギア１８ａは、回転ブレード１４の回転ロータ１４ｄに固定されていることから、ギア１８ａの回転によって、回転ブレード１４が回転する。ここで、回転ロータ１４ｄの両端部には、軸受部材１７ａ、１７ｂが取り付けられており、この軸受部材１７ａ、１７ｂは、掃除機用吸込口の下ケース２に着脱可能な状態で設置されている。
【００３３】
次に、回転ブレード１４が回転すると、回転ロータ１４ｄに固定されているギア１８ｂが回転し、回転ベルト２２を介してギア２１が回転する。ギア２１は、回転ブラシ１５の回転ロータ１５ｃに固定されていることから、ギア２１の回転によって回転ブラシ１５は、回転ブレード１４と同じ方向に回転することとなる。ここで、回転ロータ１５ｃの両端部には、軸受部材２０ａ、２０ｂが取り付けられており、この軸受部材２０ａ、２０ｂは、掃除機用吸込口の下ケース２に着脱可能な状態で設置されている。
【００３４】
図６（ａ）は、本発明に係る掃除機用吸込口の内部構造を示す一部切断背面図であり、図６（ｂ）は、同一部切断斜視図である。図６を用いて、回転ブレード１４とリブ体Ａ１１ａ、１１ｂ、１１ｃ、１１ｄの機能について説明する。前述したように、回転ブレード１４は、ブレード１４Ａと回転ロータ１４ｄとから構成されており、ブレード１４Ａは、叩打部１４ａと、基部１４ｂと、中間部１４ｃとを備えている。そして、短手方向の先端部に形成された叩打部１４ａの範囲内に凹部１４ｅ、１４ｅ、１４ｅ、１４ｅが形成されている。ブレード１４Ａに凹部１４ｅが形成されていることによって、ブレード１４Ａとリブ体１１ａ、１１ｂ、１１ｃ、１１ｄとが接触するのを防ぎ、ブレードがスムーズに回転するようにしている。また、叩打部１４ａの範囲内に凹部１４ｅ、１４ｅ、１４ｅ、１４ｅが形成されていることによって、凹部がブレード１４Ａの根本近傍まで形成された場合よりもブレードの剛性が増し、より強力に被清掃面を叩く効果を向上させることができる。
【００３５】
尚、図６に示す回転ブレード１４には、１個のブレード１４Ａの４箇所に凹部１４ｅが形成されており、これに対応するように４個のリブ体Ａ１１ａ、１１ｂ、１１ｃ、１１ｄを有する点において、図３及び図５に示した３箇所に凹部１４ｅが形成されているブレード１４Ａ及びリブ体Ａ１１ａ、１１ｂ、１１ｃと形状が異なるものであるが、本発明に係る掃除機用吸込口１０におけるブレード１４Ａの凹部１４ｅ及びリブ体Ａの個数は、特に限定するものではないので、同符号を付している。
【００３６】
図７（ａ）は、回転清掃体を構成する清掃体の他例を示す分解図であり、図７（ｂ）は、図７（ａ）に示したブレード及びブラシを組み付けた状態を示す斜視図である。これらの図に示すように、清掃体２８Ａは、溝が形成された基部１５ｂと該基部１５ｂの上端両側から上方に延出する壁部４０、４０とから形成されたブレード１４Ｂと、基台２９ｂと該基台２９ｂの上面に植設されたブラシ部１５ｄとから形成されたブラシ１５Ｂとから構成されている。そして、ブレード１４Ｂの基部１５ｂの溝に、ブラシ１５Ｂの基台２９ｂが挿入されることによって、清掃体２８Ａが組み立てられるものであり、組み立てられた状態では、ブレード１４Ｂの壁部４０、４０が、ブラシ部１５ｄの長手方向を根元から２割程度覆う高さまで延出している。したがって、ブレード１４Ｂの壁部４０、４０の高さを増減することによって、ブラシ部１５ｄの毛腰を調節することができる。
【００３７】
図７（ｃ）は、回転清掃体を構成する清掃体の別の他例を示す斜視図であり、図７（ｄ）は、図７（ｃ）に示した清掃体を回転ロータに挿入した状態を示す断面図である。これらの図に示すように、清掃体２８Ｂは、溝が形成された基部１５ｃと該基部１５ｃの上端両側から上方に延出する壁部４０、４０とから形成されたブレード１４Ｃと、基台２９ｂと該基台２９ｂの上面に植設されたブラシ部１５ｄとから形成されたブラシ１５Ｂとから構成されている。そして、ブレード１４Ｃの基部１５ｃの溝に、ブラシ１５Ｂの基台２９ｂが挿入されることによって、清掃体２８Ｂが組み立てられるものであり、組み立てられた状態では、ブレード１４Ｃの一方の壁部４０（図面上左側の壁部）が、ブラシ部１５ｄの長手方向を根元から２割程度覆う高さまで延出しており、ブレード１４Ｃの他方の壁部４０（図面上右側の壁部）が、ブラシ部１５ｄの長手方向を根元から９割程度覆う高さまで延出している。また、ブレード１４Ｃの基部１５ｃは、回転ロータ１４ｄに形成された溝に挿入されている。そして、図７（ｄ）において回転ロータ１４ｄを反時計回りに回転させることによって、ブラシ部１５ｄ側を被清掃面に当接させることができる。したがって、ブラシ部１５ｄ側を被清掃面に優しく当接させることができるので、シーツ等の巻き込みや傷付きを防止することができる。また、ブレード１４Ｃの壁部４０、４０の高さを増減することによって、ブラシ部１５ｄの毛腰を調節することができる。さらに、長い側の壁部４０の先端部に被清掃面に当る叩打部を形成することも可能であり、叩打部の範囲内に凹部を形成することも可能であることから、被清掃面を叩く効果を向上させることができる。
【００３８】
図８は、電気掃除機本体を示す斜視図である。図８に示すように、電気掃除機本体３０は、本体ケース３１に取っ手３３が形成されており、一方の手で前述した掃除機用吸込口１０の操作ハンドル７を操作すると共に、他方の手で取っ手３３を掴むことによって、布団や毛布等の全体の掃除を容易にしている。尚、本体ケース３１の内部には、吸引力を発生させる電動送風機（図示せず）と、塵埃を捕集する集塵室３５とが内蔵されている。また、本体ケース３１の上面には、起動スイッチ３４が設けられており、この起動スイッチ３４によって、塵埃の吸引と、回転ブレード１４及び回転ブラシ１５の回転駆動のオンオフを行っている。さらに、本体ケース３１の側面には、吸引口３２が設けられており、この吸引口３２に、ホース６先端の着脱部６ａが着脱可能な状態で取り付けられている。
【００３９】
以上のように構成された電気掃除機本体３０及び掃除機用吸込口１０を備えた電気掃除機は、被清掃面に付着した塵埃を除去する効果と、被清掃面を叩く効果の両方を同時に奏することができると共に、布団や毛布が掃除機用吸込口１０の開口１３から巻き込まれるのを防止する効果を奏することができるものである。
【産業上の利用可能性】
【００４０】
本発明に係る掃除機用吸込口及び電気掃除機は、主に、布団や毛布等の被清掃面に付着したダニや塵埃等を吸引除去する為に利用される。
【符号の説明】
【００４１】
１  吸込口本体の上ケース
２  吸込口本体の下ケース
３ａ、３ｂ  車輪
４  延長管
５  接続管
６  ホース
６ａ  着脱部
７  操作ハンドル
８ａ、８ｂ  回転ローラ
９、２４  回転軸
１０  掃除機用吸込口
１１ａ、１１ｂ、１１ｃ、１１ｄ  リブ体Ａ
１２  リブ体Ｂ
１３  開口
１４  回転ブレード
１４Ａ、１４Ｂ、１４Ｃ  ブレード
１４ａ  叩打部
１４ｂ、１５ｂ、１５ｃ  基部
１４ｃ  中間部
１４ｄ、１５ｅ  回転ロータ
１４ｅ  凹部
１５  回転ブラシ
１５Ａ、１５Ｂ  ブラシ
１５ａ、１５ｄ  ブラシ部
１６  凹部
１７ａ、１７ｂ、２０ａ、２０ｂ  軸受部材
１８ａ、１８ｂ、２１、２３、２７  ギア
１９、２２、２５  回転ベルト
２６  モータ
２６ａ  モータの出力軸
２８Ａ、２８Ｂ  清掃体
２９ａ、２９ｂ  基台
３０  電気掃除機本体
３１  本体ケース
３２  吸引口
３３  取っ手
３４  起動スイッチ
３５  集塵室
４０  壁部
【図１】
0006552033.tif 000002
【図２】
0006552033.tif 000003
【図３】
0006552033.tif 000004
【図４】
0006552033.tif 000005
【図５】
0006552033.tif 000006
【図６】
0006552033.tif 000007
【図７】
0006552033.tif 000008
【図８】
0006552033.tif 000009